(57)【要約】【課題】ショッピング用記憶媒体の入手のための時間を短縮し、その都度クレジットカード番号の入力を不要とすることができるショッピングシステム、ショッピング方法、ショッピング用記憶媒体およびショッピング用記憶媒体の発行方法を提供する。【解決手段】クレジットカードの子カードとしての機能を持ったマイクロＳＤメモリカードを利用し、マイクロＳＤメモリカード購入後に発行(パーソナライズ)を実施し、発行されたマイクロＳＤメモリカードを端末装置に挿入セットすることで、自動的にクレジットカード会社のポータルサイトに接続することによりインターネットショッピングを行なう。【選択図】図１
2012150607.tif 000002
【特許請求の範囲】
【請求項１】
少なくともクレジットカード会社を選択するためのクレジットカード会社選択アプリケーション、選択されたクレジットカード会社のホームページへ自動的に接続するためのホームページ自動接続アプリケーション、および、当該利用者が所持しているクレジットカードに対する子カードとしての子カード番号があらかじめ記憶されていて、利用者が所持するショッピング用記憶媒体と、このショッピング用記憶媒体が着脱自在にセットされ、当該ショッピング用記憶媒体を処理する端末装置と、この端末装置とインターネットを介して接続されるクレジットカード会社のサーバとから構成されるショッピングシステムであって、
前記端末装置において、利用者が前記ショッピング用記憶媒体をセットしたことに応答して、前記ホームページ自動接続アプリケーションを起動し、前記クレジットカード会社のポータルサイトに接続する第１の手段と、
この第１の手段により前記クレジットカード会社のポータルサイトに接続されると、前記ショッピング用記憶媒体に記憶されている子カード番号を前記クレジットカード会社のサーバへ送ることにより、当該サーバにおいて対応するクレジットカード番号との紐付けを行なう第２の手段と、
この第２の手段により子カード番号とクレジットカード番号との紐付けが終了すると、前記端末装置において、利用者の操作に基づき前記クレジットカード会社のポータルサイトから購入を希望する物品を検索し、前記ショッピング用記憶媒体に記憶されている子カード番号を用いて代金の決済を行なう第３の手段と、
を具備したことを特徴とするショッピングシステム。
【請求項２】
少なくともクレジットカード会社を選択するためのクレジットカード会社選択アプリケーション、選択されたクレジットカード会社のホームページへ自動的に接続するためのホームページ自動接続アプリケーション、当該利用者が所持しているクレジットカードに対する子カードとしての子カード番号、外部装置との間で認証を行なうための認証データ、当該利用者固有のパスワード、および、当該パスワードの照合を行なうためのパスワード照合アプリケーションがあらかじめ記憶されていて、利用者が所持するショッピング用記憶媒体と、このショッピング用記憶媒体が着脱自在にセットされ、当該ショッピング用記憶媒体を処理する端末装置と、この端末装置とインターネットを介して接続されるクレジットカード会社のサーバとから構成されるショッピングシステムであって、
前記端末装置において、利用者が前記ショッピング用記憶媒体をセットしたことに応答して、前記パスワード照合アプリケーションを起動し、前記利用者が入力したパスワードと前記ショッピング用記憶媒体に記憶されているパスワードとの照合を行なう第１の手段と、
この第１の手段によりパスワードの照合が得られると、前記ホームページ自動接続アプリケーションを起動し、前記クレジットカード会社のポータルサイトに接続することにより、前記ショッピング用記憶媒体に記憶されている認証データを用いて前記クレジットカード会社のサーバとの間で相互認証を行なう第２の手段と、
この第２の手段により相互認証が得られると、前記ショッピング用記憶媒体に記憶されている子カード番号を前記クレジットカード会社のサーバへ送ることにより、対応するクレジットカード番号との紐付けを行なう第３の手段と、
この第３の手段により子カード番号とクレジットカード番号との紐付けが終了すると、前記端末装置において、利用者の操作に基づき前記クレジットカード会社のポータルサイトから購入を希望する物品を検索し、前記ショッピング用記憶媒体に記憶されている子カード番号を用いて代金の決済を行なう第４の手段と、
を具備したことを特徴とするショッピングシステム。
【請求項３】
少なくともクレジットカード会社を選択するためのクレジットカード会社選択アプリケーション、選択されたクレジットカード会社のホームページへ自動的に接続するためのホームページ自動接続アプリケーション、当該利用者が所持しているクレジットカードに対する子カードとしての子カード番号、外部装置との間で認証を行なうための認証データ、当該利用者固有のパスワード、および、当該パスワードの照合を行なうためのパスワード照合アプリケーションがあらかじめ記憶されていて、利用者が所持するショッピング用記憶媒体と、このショッピング用記憶媒体が着脱自在にセットされ、当該ショッピング用記憶媒体を処理する端末装置と、この端末装置とインターネットを介して接続されるクレジットカード会社のサーバとを有し、
前記端末装置において、利用者が前記ショッピング用記憶媒体をセットしたことに応答して、前記パスワード照合アプリケーションを起動し、前記利用者が入力したパスワードと前記ショッピング用記憶媒体に記憶されているパスワードとの照合を行なう第１のステップと、
この第１のステップによりパスワードの照合が得られると、前記ホームページ自動接続アプリケーションを起動し、前記クレジットカード会社のポータルサイトに接続することにより、前記ショッピング用記憶媒体に記憶されている認証データを用いて前記クレジットカード会社のサーバとの間で相互認証を行なう第２のステップと、
この第２のステップにより相互認証が得られると、前記ショッピング用記憶媒体に記憶されている子カード番号を前記クレジットカード会社のサーバへ送ることにより、対応するクレジットカード番号との紐付けを行なう第３のステップと、
この第３のステップにより子カード番号とクレジットカード番号との紐付けが終了すると、前記端末装置において、利用者の操作に基づき前記クレジットカード会社のポータルサイトから購入を希望する物品を検索し、前記ショッピング用記憶媒体に記憶されている子カード番号を用いて代金の決済を行なう第４のステップと、
を具備したことを特徴とするショッピング方法。
【請求項４】
請求項２に記載されたショッピングシステムまたは請求項３に記載されたショッピング方法に用いられる発行前のショッピング用記憶媒体であって、
少なくともクレジットカード会社を選択するためのクレジットカード会社選択アプリケーション、選択されたクレジットカード会社のホームページへ自動的に接続するためのホームページ自動接続アプリケーション、および、外部装置との間で認証を行なうための認証データがあらかじめ記憶されていることを特徴とするショッピング用記憶媒体。
【請求項５】
請求項４に記載されたショッピング用記憶媒体に対し所定のデータを登録することにより発行するショッピング用記憶媒体の発行方法であって、
利用者がショッピング用記憶媒体を、クレジットカード会社のサーバにインターネットを介して接続された端末装置にセットしたことに応答して、前記クレジットカード会社選択アプリケーションを起動し、利用者の操作に基づき当該利用者が所持しているクレジットカードのクレジットカード会社を選択する第１のステップと、
この第１のステップにより選択されたクレジットカード会社のサーバに前記端末装置を接続することにより、当該ショッピング用記憶媒体に記憶されている認証データを用いて相互認証を行なう第２のステップと、
この第２のステップにより相互認証が得られると、前記端末装置において、利用者が入力する当該利用者が所持しているクレジットカードのクレジットカード番号を前記クレジットカード会社のサーバへ送ることにより、当該クレジットカードの子カードとしての子カード番号、当該クレジットカード会社のサーバとの間で相互認証を行なうための認証データ、および、パスワードの照合を行なうためのパスワード照合アプリケーションを取得する第３のステップと、
この第３のステップにより取得された子カード番号、認証データ、パスワード照合アプリケーション、および、前記端末装置において利用者が入力したパスワードを当該ショッピング用記憶媒体に登録する第４のステップと、
を具備したことを特徴とするショッピング用記憶媒体の発行方法。
【発明の詳細な説明】
【技術分野】
【０００１】
本発明の実施形態は、たとえば、クレジットカードの子カードとしての機能を持ったショッピング用記憶媒体としてマイクロＳＤメモリカードを利用してインターネットショッピングを行なうショッピングシステムおよびショッピング方法に関する。  
また、本発明の実施形態は、上記ショッピングシステムおよびショッピング方法に用いるショッピング用記憶媒体およびこのショッピング用記憶媒体を発行するショッピング用記憶媒体の発行方法に関する。
【背景技術】
【０００２】
たとえば、パーソナルコンピュータあるいは携帯電話機などの端末装置を用いてインターネットショッピングを行なう場合、まずは購入したい物品がどのＷｅｂサイトで購入可能かを検索し、その後決済方法を決定し、クレジットカードを使用する場合はその場でクレジットカード番号を入力している。
【０００３】
ここで、従来のクレジットカードを利用したインターネットショッピングの流れを示すと以下のようになる。
【０００４】
（１）事前にクレジットカードを入手しておく。
【０００５】
（２）パーソナルコンピュータあるいは携帯電話機等でインターネットブラウザを起動する。
【０００６】
（３）検索サイト等を利用し、購入を希望する物品がどのＷｅｂサイトで購入可能かを検索する。
【０００７】
（４）決済方法をしてクレジットカードを選択する。
【０００８】
（５）クレジットカード番号、氏名等の情報を入力し、決済を行なう。
【先行技術文献】
【特許文献】
【０００９】
【特許文献１】特開２００６−  ２５２４３号公報
【特許文献２】特開２００５−２１５９４５号公報
【発明の概要】
【発明が解決しようとする課題】
【００１０】
しかし、従来のインターネットショッピング方法では、クレジットカードでの購入の場合、販売元が指定する取扱い可能なクレジットカードを事前に所持している必要があり、毎回クレジットカード番号を入力する必要がある。  
また、一般に、クレジットカードの入手には、申込みから自宅へ郵送されるまでに1週間以上の時間を要する。
【００１１】
そこで、実施形態は、ショッピング用記憶媒体の入手のための時間を短縮し、その都度クレジットカード番号の入力を不要とすることができるショッピングシステム、ショッピング方法、ショッピング用記憶媒体およびショッピング用記憶媒体の発行方法を提供することを目的とする。
【課題を解決するための手段】
【００１２】
実施形態に係るショッピングシステムは、少なくともクレジットカード会社を選択するためのクレジットカード会社選択アプリケーション、選択されたクレジットカード会社のホームページへ自動的に接続するためのホームページ自動接続アプリケーション、および、当該利用者が所持しているクレジットカードに対する子カードとしての子カード番号があらかじめ記憶されていて、利用者が所持するショッピング用記憶媒体と、このショッピング用記憶媒体が着脱自在にセットされ、当該ショッピング用記憶媒体を処理する端末装置と、この端末装置とインターネットを介して接続されるクレジットカード会社のサーバとから構成されるショッピングシステムであって、前記端末装置において、利用者が前記ショッピング用記憶媒体をセットしたことに応答して、前記ホームページ自動接続アプリケーションを起動し、前記クレジットカード会社のポータルサイトに接続する第１の手段と、この第１の手段により前記クレジットカード会社のポータルサイトに接続されると、前記ショッピング用記憶媒体に記憶されている子カード番号を前記クレジットカード会社のサーバへ送ることにより、当該サーバにおいて対応するクレジットカード番号との紐付けを行なう第２の手段と、この第２の手段により子カード番号とクレジットカード番号との紐付けが終了すると、前記端末装置において、利用者の操作に基づき前記クレジットカード会社のポータルサイトから購入を希望する物品を検索し、前記ショッピング用記憶媒体に記憶されている子カード番号を用いて代金の決済を行なう第３の手段とを具備している。
【図面の簡単な説明】
【００１３】
【図１】実施形態に係るインターネットショッピングを行なうショッピングシステムの構成を概略的に示す模式図。
【図２】マイクロＳＤメモリカードの構成を概略的に示す模式図。
【図３】マイクロＳＤメモリカードの発行処理について説明するフローチャート。
【図４】インターネットショッピングの処理について説明する模式図。
【図５】インターネットショッピングの処理について説明するフローチャート。
【発明を実施するための形態】
【００１４】
以下、実施形態について図面を参照して説明する。  
図１は、本実施形態に係るインターネットショッピングを行なうショッピングシステムの構成を概略的に示すものである。このショッピングシステムは、利用者が所持するショッピング用記憶媒体としての例えばマイクロＳＤ（Ｓｅｃｕｒ  Ｄｉｇｉｔａｌ）メモリカード１１、利用者が所持する例えばパーソナルコンピュータ（パソコン）あるいは携帯電話機などの端末装置１２、この端末装置１２とインターネット（公衆回線）を介して接続されるクレジットカード会社のサーバ１３から構成される。
【００１５】
マイクロＳＤメモリカード１１は、発行される前の状態では、少なくともクレジットカード会社を選択するためのクレジットカード会社選択アプリケーション、選択されたクレジットカード会社のホームページへ自動的に接続するためのホームページ自動接続アプリケーション、および、外部装置（サーバ１３）との間で相互認証を行なうための認証データがあらかじめ登録（記憶）されており、この状態で例えば量販店などで販売されるようになっている。  
なお、上記認証データは初期値であり、たとえば、当該マイクロＳＤメモリカード１１の製造番号等が用いられる。
【００１６】
また、マイクロＳＤメモリカード１１は、後述するように発行されると、さらに、当該利用者が所持しているクレジットカードに対する子カードとしての子カード番号（ＩＤ）、外部装置（サーバ１３）との間で相互認証を行なうための個別の認証データ、当該利用者固有のパスワードとしての暗証番号、および、当該暗証番号の照合を行なうための暗証番号照合アプリケーションが登録（記憶）されるもので、この状態でインターネットショッピングに用いられるようになっている。
【００１７】
端末装置１２は、利用者が所持する例えばパーソナルコンピュータあるいは携帯電話機などで、利用者が所持するマイクロＳＤメモリカード１１が着脱自在にセットされ、当該マイクロＳＤメモリカード１１に対し後述するような処理が行なわれる。
【００１８】
クレジットカード会社のサーバ１３は、インターネットショッピングを実施するクレジットカード会社に設置されていて、インターネットを介して利用者が所持する端末装置１２と通信可能となっており、後述するようなインターネットショッピングに係る各種処理を実行する。
【００１９】
図２は、本実施形態で用いられるマイクロＳＤメモリカード１１の構成を概略的に示している。このマイクロＳＤメモリカード１１は、たとえば、全体的な制御や各種処理を実行するＣＰＵ２１、ＣＰＵ２１の制御プログラム等が記憶されたＲＯＭ２２、ワーキングメモリとして機能するＲＡＭ２３、小容量の不揮発性メモリ例えばＮＶメモリ２４、各種アプリケーションやその他のデータを記憶する不揮発性メモリ（フラッシュメモリ等）からなる大容量メモリ２５、および、端末装置１２と通信を行なうインタフェイス（Ｉ／Ｆ）２６から構成されている。
【００２０】
ＮＶメモリ２４には、前述した認証データ、子カード番号および暗証番号等が記憶される。  
大容量メモリ２５には、前述したクレジットカード会社を選択するためのクレジットカード会社選択アプリケーション、選択されたクレジットカード会社のホームページへ自動的に接続するためのホームページ自動接続アプリケーション、および、暗証番号の照合を行なうための暗証番号照合アプリケーション等が記憶される。
【００２１】
次に、このような構成において本実施形態の動作を説明する。  
まず、本実施形態のインターネットショッピングに用いるマイクロＳＤメモリカード１１の発行処理について図３に示すフローチャートを参照して説明する。
【００２２】
利用者は、量販店などで発行前のマイクロＳＤメモリカード１１を購入し（ステップＳ１）、そのマイクロＳＤメモリカード１１を自身が所持する端末装置１２に挿入セットする（ステップＳ２）。
【００２３】
端末装置１２は、マイクロＳＤメモリカード１１がセットされると、それに応答して、マイクロＳＤメモリカード１１内のクレジットカード会社選択アプリケーションを起動し、利用者に対しクレジットカード会社を選択するよう案内する（ステップＳ３）。
【００２４】
ここで、利用者は、端末装置１２において、既に利用者が所持しているクレジットカードのクレジットカード会社を選択する操作を行なう（ステップＳ４）。クレジットカード会社が選択されると、端末装置１２は、選択されたクレジットカード会社のサーバ１３に接続することにより（ステップＳ５）、当該マイクロＳＤメモリカード１１に記憶されている認証データを用いてサーバ１３との間で相互認証を行なう（ステップＳ６）。
【００２５】
この相互認証によりＯＫが得られると、端末装置１２は、利用者に対しクレジットカード番号および暗証番号の入力を案内する。ここで、利用者は、端末装置１２において、既に利用者が所持しているクレジットカードのクレジットカード番号（ＩＤ）および利用者固有の暗証番号を入力する操作を行なう（ステップＳ７）。
【００２６】
クレジットカード番号および暗証番号が入力されると、端末装置１２は、入力されたクレジットカード番号を前記クレジットカード会社のサーバ１３へ送る（ステップＳ８）。サーバ１３は、端末装置１２からクレジットカード番号を受取ると、当該クレジットカードの子カードとしての子カード番号（ＩＤ）を発行し、この発行した子カード番号、当該クレジットカード会社のサーバ１３との間で相互認証を行なうための認証データ、および、暗証番号の照合を行なうための暗証番号照合アプリケーションを端末装置１２に対しダウンロードする（ステップＳ９）。
【００２７】
端末装置１２は、クレジットカード会社のサーバ１３からダウンロードされた子カード番号、認証データ、暗証番号照合アプリケーション、および、ステップＳ７で入力された暗証番号を当該マイクロＳＤメモリカード１１に登録（記憶）する（ステップＳ１０）。  
以上でマイクロＳＤメモリカード１１の発行処理が終了する。
【００２８】
次に、上記したようにして発行されたマイクロＳＤメモリカード１１を用いたインターネットショッピングの処理について図４に示す説明図および図５に示すフローチャートを参照して説明する。
【００２９】
まず、利用者は、上記したようにして発行されたマイクロＳＤメモリカード１１を自身が所持する端末装置１２に挿入セットする（ステップＳ２１）。  
端末装置１２は、マイクロＳＤメモリカード１１がセットされると、それに応答して、マイクロＳＤメモリカード１１内の暗証番号照合アプリケーションを起動し、利用者に対し暗証番号を入力するよう案内する（ステップＳ２２）。
【００３０】
ここで、利用者は、端末装置１２において、暗証番号を入力する操作を行なう（ステップＳ２３）。暗証番号が入力されると、端末装置１２は、その入力された暗証番号をマイクロＳＤメモリカード１１へ送ることにより、マイクロＳＤメモリカード１１内において、あらかじめ登録されている暗証番号との照合が行なれる（ステップＳ２４）。
【００３１】
この暗証番号の照合によりＯＫが得られると、端末装置１２は、自動的にインターネットプラウザを起動してクレジットカード会社のサーバ１３（クレジットカード会社のポータルサイト）に接続することにより（ステップＳ２５）、マイクロＳＤメモリカード１１とサーバ１３との間で当該マイクロＳＤメモリカード１１に記憶されている認証データを用いた相互認証を行なわせる（ステップＳ２６）。
【００３２】
この相互認証によりＯＫが得られると、セキュリティの確保された通信経路が確立され（ステップＳ２７）、マイクロＳＤメモリカード１１から子カード番号が端末装置１２を介してクレジットカード会社のサーバ１３へ送られる（ステップＳ２８）。
【００３３】
サーバ１３は、マイクロＳＤメモリカード１１から子カード番号を受取ると、当該子カード番号と対応するクレジットカード番号との紐付けを行なう（ステップＳ２９）。
【００３４】
この子カード番号とクレジットカード番号との紐付けが終了すると、端末装置１２において、利用者の操作に基づきクレジットカード会社のポータルサイトから購入を希望する商品（物品）を検索する（ステップＳ３０）。  
購入商品が検索されると、クレジットカード会社のサーバ１３により当該マイクロＳＤメモリカード１１の子カード番号を用いて購入代金の決済処理が行なわれる（ステップＳ３１）。  
以上でマイクロＳＤメモリカード１１を用いたインターネットショッピングの処理が終了する。
【００３５】
なお、ステップＳ２２〜Ｓ２４における暗証番号の照合処理、および、ステップＳ２６〜Ｓ２７における認証データを用いた相互認証処理は、必ずしも行なう必要はなく、いずれか一方あるいはいずれも省略してもよい。
【００３６】
以上説明したように上記実施形態によれば、インターネットショッピングにクレジットカードの子カードとしての機能を持ったマイクロＳＤメモリカードを利用し、マイクロＳＤメモリカード購入後に発行(パーソナライズ)を実施し、発行されたマイクロＳＤメモリカードを端末装置に挿入セットすることで、自動的にクレジットカード会社のポータルサイトに接続することにより、カード入手のための時間を短縮し、マイクロＳＤメモリカードに登録された子カード番号を使用することによりクレジットカード番号の入力を不要とすることができる。
【００３７】
なお、前記実施形態では、利用者固有のパスワードとして暗証番号を用いた場合について説明したが、これに限定されるものではなく、たとえば、利用者の生体情報（顔画像、指紋、網膜等）を用いても同様に実施可能である。
【００３８】
また、前記実施形態では、ショッピング用記憶媒体としてマイクロＳＤメモリカードを用いた場合について説明したが、これに限定されるものではなく、同様の機能を有していれば他のメモリカード（ＳＤメモリカードやＣＦメモリカード等）を用いても同様に実施可能である。さらに、形状もカード状に限らず、棒状やスティック状であってもよい。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれると同様に、特許請求の範囲に記載された発明とその均等の範囲に含まれるものである。
【符号の説明】
【００４０】
１１…マイクロＳＤメモリカード（ショッピング用記憶媒体）、１２…端末装置、１３…クレジットカード会社のサーバ。
【図１】
2012150607.tif 000003
【図２】
2012150607.tif 000004
【図３】
2012150607.tif 000005
【図４】
2012150607.tif 000006
【図５】
2012150607.tif 000007